(57)【要約】【課題】  喫茶店などの店舗に入ることなく、手軽におしぼりを提供する。【解決手段】  庫内に収納した缶、紙パック、ペットボトル入りの飲料、菓子、アイスクリームなどの商品、あるいは庫内で製造したコーヒー、麺類、ハンバーガーなどの飲食品を販売する自動販売機１であって、本体キャビネット２の所要の位置におしぼり用の取出口３を設けるとともに、前記本体キャビネット２内に、前記取出口３におしぼりを送出するおしぼり製造ユニット４を設けた構成とする。【効果】  硬貨投入口５ａに硬貨を入れ、選択ボタン８を押した後、ディスプレイ部６の中から所望の商品のボタンを押すと、おしぼり製造ユニット４が製造処理を開始し、おしぼりが取出口３に落下収容される。【選択図】  図１
0003145834.tif 000002
【実用新案登録請求の範囲】
【請求項１】
庫内に収納した缶、紙パック、ペットボトル入りの飲料、菓子、アイスクリームなどの商品、あるいは庫内で製造したコーヒー、麺類、ハンバーガーなどの飲食品を販売する自動販売機であって、本体キャビネットの所要の位置におしぼり用の取出口を設けるとともに、前記本体キャビネット内に、前記取出口におしぼりを送出するおしぼり製造ユニットを設けたことを特徴とする自動販売機。
【請求項２】
前記おしぼり製造ユニットは、
おしぼりに適した不織布、紙、織布若しくはこれらの吸水ポリマー加工品からなる素材で連続長のシートを形成し、ロール状に巻き取ったロール巻き部と、
このロール巻き部から前記シートを引き出して所要のサイズのおしぼり素材に切断する裁断部と、
液体を収容したタンクと、
このタンクから導いた液体を前記おしぼり素材に噴霧する噴霧器と、
湿潤状態とされた前記おしぼり素材を丸めるか又は折り畳んで前記取出口に送出する送出部と、
を少なくとも備えたことを特徴とする請求項１に記載の自動販売機。
【請求項３】
前記タンク内の液体に滅菌成分を含有させたことを特徴とする請求項２に記載の自動販売機。
【請求項４】
前記本体キャビネットの所要の位置に顧客におしぼりを購入するか否かを選択させる選択ボタンを設け、顧客が硬貨又は紙幣を投入し、かつ、前記選択ボタンが押された場合にのみ、前記おしぼり製造ユニットに製造処理を開始させる信号を送ることを特徴とする請求項１〜３の何れかに記載の自動販売機。
【請求項５】
前記おしぼり製造ユニットの内部を温蔵又は冷蔵状態としたことを特徴とする請求項１〜４の何れかに記載の自動販売機。
【請求項６】
前記おしぼり用の取出口は、前記商品又は飲食品の送出口とは別に設け、かつ、前記おしぼり製造ユニットにより製造されるおしぼりは包装されていないことを特徴とする請求項１〜５の何れかに記載の自動販売機。
【考案の詳細な説明】
【技術分野】
【０００１】
本考案は、例えば缶飲料、ペットボトル入り飲料、菓子、アイスクリーム等の商品や、カップ式飲料、麺類、ハンバーガー等の飲食品を販売する自動販売機に関し、特に、おしぼり販売機能を有した自動販売機に関する。
【背景技術】
【０００２】
駅構内、高速道路のサービスエリア、オフィス、遊戯施設等では、缶飲料やペットボトル入り飲料の自動販売機が多数設置されている。２００６年末の飲料自動販売機の普及台数は２６５万８２００台であり、現在、コンビニ等の店舗に入らなくても、飲料を手にするのは極めて容易で、困らない状況にある。
【０００３】
ところで、例えば暑い夏に冷たい飲料が飲みたくて自動販売機でジュース等を購入する際、出来れば、手や顔の汗も冷たいおしぼりで拭いて、さっぱりとしたいと考えることがある。また、例えば、麺類やハンバーガー等の飲食品を販売する自動販売機を利用する場合は、手をおしぼりで拭いて清潔にしてから食べたいと思うことが良くある。
【０００４】
しかし、意外とおしぼりを手に入れるのは難しいものである。従来は、敢えて飲食店などに入って飲み物を注文しておしぼりを手に入れていたのが実情であり、街中で店舗に入ることなく手軽におしぼりを手に入れることは難しかった。
【０００５】
なお、従来より、例えば、特開平５−３１４３６２号公報で開示されているような卓上型のおしぼり供給機は存在する。しかし、喫茶店、パチンコ店等で利用することを想定したもので、それらの店舗に入る必要があるから、上記問題点は解決されない。
【考案の開示】
【考案が解決しようとする課題】
【０００６】
本考案が解決しようとする課題は、従来は、喫茶店などの店舗に入ることなく手軽におしぼりを手に入れるのは難しかった点である。
【課題を解決するための手段】
【０００７】
上記の課題を解決するために、本考案の自働販売機は、
庫内に収納した缶、紙パック、ペットボトル入りの飲料、菓子、アイスクリームなどの商品、あるいは庫内で製造したコーヒー、麺類、ハンバーガーなどの飲食品を販売する自動販売機であって、本体キャビネットの所要の位置におしぼり用の取出口を設けるとともに、前記本体キャビネット内に、前記取出口におしぼりを送出するおしぼり製造ユニットを設けたことを最も主要な特徴点としている。
【０００８】
なお、本考案にいう「おしぼり」は、一般にウエットティッシュ、紙手拭と称されるものも含む概念である。
【考案の効果】
【０００９】
本考案によれば、本体キャビネット内におしぼり製造ユニットを設け、取出口からおしぼりを供給できるように構成したので、利用者は自動販売機で缶飲料、飲食品等を購入すると共に、手軽におしぼりを手に入れることができる。
【考案を実施するための最良の形態】
【００１０】
以下、本考案の実施形態の一例について、図１〜図２を用いて説明する。図１は、本実施例の自動販売機の構成を説明する図で、（ａ）は正面図、（ｂ）はＡ−Ａ’線における断面図である。図２は、おしぼり製造ユニットの構成を説明する図である。
【００１１】
本実施例の自動販売機１は、図１（ａ）に示すように、本体キャビネット２の中央部の左寄りの位置に、おしぼり用の取出口３を設けるとともに、本体キャビネット２内に、前記取出口３におしぼりを送出するおしぼり製造ユニット４を、図１（ｂ）のように設けた構成である。
【００１２】
図１において、５ａは硬貨投入口、５ｂは紙幣差入口、６は販売している缶飲料の内容を示すディスプレイ部、７は購入した商品の送出口、８は顧客におしぼりを購入するか否かを選択させる選択ボタンを示している。なお、図１（ｂ）において図示を省略しているが、自動販売機１の庫内には、ディスプレイ部６に表示されているのと同じ種類の缶飲料が温蔵又は冷蔵状態で格納されている。
【００１３】
おしぼり製造ユニット４は、図２に示すように、おしぼりに適した不織布、紙、織布若しくはこれらの吸水ポリマー加工品からなる素材で連続長のシート４ａ１を形成し、ロール状に巻き取ったロール巻き部４ａと、ロール巻き部４ａからシート４ａ１を引き出して所要のサイズのおしぼり素材に切断する裁断部４ｂと、液体を収容したタンク４ｃと、このタンク４ｃから導いた液体を前記おしぼり素材に噴霧する噴霧器４ｄと、湿潤状態とされたおしぼり素材を丸めるか又は折り畳んで取出口３に送出する送出部４ｅとを少なくとも備えた構成である。このような構成とすれば、必要なときに必要な長さ分だけシート４ａ１を引き出し製造時点で液体を噴霧するので、無駄が無いという利点がある。
【００１４】
本実施例では連続長のシート４ａ１は、天然素材の不織布を使用している。環境に配慮して、自然にも素肌にも優しい素材とするためである。また、裁断部４ｂでは、シート４ａ１をおしぼり１本分の長さになるように例えば１５ｃｍ前後の長さに切断している。噴霧器４ｄにより湿潤状態とされたおしぼり素材は、送出部４ｅにより丸めた後、１本のおしぼりとして取出口３より排出する。
【００１５】
また、本実施例では、タンク４ｃ内の液体に滅菌成分を含有させるようにしている。シート４ａ１には天然の抗菌成分を含有させて、雑菌の繁殖を抑えているが、併せて滅菌液を噴霧し、より高い滅菌効果を得るためである。このようにすれば、手を清潔にできるので、飲食品の自動販売機には特に好適である。滅菌成分としては、例えば、アルコール、竹、天然グレープフルーツ種子エキスなどの植物由来のものを使用する。
【００１６】
また、本実施例では、図１（ａ）に示すように、おしぼり用の取出口３は、缶飲料の送出口７とは別に設け、かつ、おしぼり製造ユニット４により製造されるおしぼりは、送出部４ｅにより丸めるのみで、ビニール袋等で包装しないようにしている。
【００１７】
本考案のおしぼりは、購入後すぐに使用することが想定されるので、敢えてビニール袋などで包装しない方が望ましく、またそうすることにより、コストの削減とゴミの削減が図れる。但し、おしぼりの包装を省略する場合は、缶飲料等の商品の送出口と同じ場所におしぼりを搬出するように構成したのでは清潔さに欠けるため、おしぼり用の取出口３は缶飲料の送出口７とは別に設けることが望ましい。取出口を分けることにより、利用者に安全で清潔なおしぼりを提供できる。以上の理由から、本実施例では前述の構成を採用している。
【００１８】
また、本実施例では、本体キャビネット２の所要の位置に顧客におしぼりを購入するか否かを選択させる選択ボタン８を設け、顧客が硬貨又は紙幣を投入し、かつ、選択ボタン８が押された場合にのみ、おしぼり製造ユニット４に製造処理を開始させる信号を送る構成を採用している。
【００１９】
具体的には、本考案の自動販売機は、缶飲料は１２０円で販売し、おしぼりは３０円で販売するようにしている。利用者は、缶飲料のみを購入したい場合は、例えば１５０円を硬貨投入口５ａに投入し、ディスプレイ部６の中から所望の商品のボタンを押し、３０円のおつりを受取る。一方、缶飲料とおしぼりを購入したい場合は、例えば１５０円を硬貨投入口５ａに入れ、選択ボタン８を押した後、ディスプレイ部６の中から所望の商品のボタンを押すと、おしぼり製造ユニット４に信号が送信され、製造処理が開始される。そうすると、所望の商品が送出口７から出てくると共に、おしぼり製造ユニット４からおしぼりが搬出され、取出口３に落下収容される。また、おしぼりのみを購入したい場合は、硬貨投入口５ａに３０円を入れ、選択ボタン８を押す。このような構成とすれば、需要者のニーズに応じておしぼりを販売できるので、好適である。
【００２０】
なお、本考案のおしぼり製造ユニット４は、温蔵又は冷蔵装置により温度を調節し、内部を温蔵又は冷蔵状態としている。こうすることにより、気温が上がる夏には快適な冷たいおしぼりを、寒い冬には加温して温かいおしぼりを提供することができる。
【００２１】
本考案は、本体キャビネット２内におしぼり製造ユニット４を設け、取出口３からおしぼりを供給できるように構成したので、利用者は自動販売機１で缶飲料、飲食品等を購入すると共に、手軽におしぼりを手に入れることができる。また、本考案の自動販売機は、飲料などの商品と共に、清潔で衛生的な滅菌おしぼりを加温された状態あるいは冷たい状態で提供できる。
【００２２】
本考案は上記の例に限らず、各請求項に記載された技術的思想の範囲内で、適宜実施の形態を変更しても良いことは言うまでもない。例えば、実施例ではロール巻きされたシートを切断しておしぼりを製造する例を示したが、本考案はこれに限らず、予め適当な長さにカットされたおしぼりを搬出する構成であっても良い。また、おしぼりの素材は不織布に限らず、紙、織布、これらの吸水ポリマー加工品を用いても良い。
【産業上の利用可能性】
【００２３】
本考案の自動販売機は、オフィス、駅構内、街頭、駐車場、パチンコ店、ゴルフ場、高速道路のサービスエリアは勿論、公共施設、病院などでも利用できるものである。
【図面の簡単な説明】
【００２４】
【図１】本考案の自動販売機の構成を説明する図であり、（ａ）は正面図、（ｂ）はＡ−Ａ’線における断面図である。
【図２】おしぼり製造ユニットの構成を説明する図である。
【符号の説明】
【００２５】
１  自動販売機
２  本体キャビネット
３  おしぼり用の取出口
４  おしぼり製造ユニット
４ａ  ロール巻き部
４ａ１  シート
４ｂ  裁断部
４ｃ  タンク
４ｄ  噴霧器
４ｅ  送出部
７  商品又は飲食品の送出口
８  選択ボタン
【図１】
0003145834.tif 000003
【図２】
0003145834.tif 000004